(57)【要約】      （修正有）【課題】商品の購入者に気づかれずに比較的大量の在庫品を収納可能であり、商品補充作業の煩雑さを解消できる木製陳列棚を提供する。【解決手段】本考案は、木製本体１１、木製補強板１２、バックパネル１３、木製笠木１４、木製棚板１５を備える。木製本体は、一対の木製柱部２１の下端部にベース部２２を接続してなる。ベース部は、一対の木製脚部３１と、木製脚部の上端面３１ａに着脱可能に載置される木製ベース棚板３２とを含んで構成される。木製補強板の下端面１２ａの高さ位置は、木製脚部の上端面の高さ位置よりも上になるように設定される。【選択図】図２
0003233329.tif 000002
【実用新案登録請求の範囲】
【請求項１】
一対の木製柱部の下端部にベース部を接続してなる木製本体と、
前記木製柱部同士を連結して前記木製本体を補強する木製補強板と、
前記木製柱部間に設けられ、前記木製補強板によって下側から支持されるバックパネルと、
前記木製柱部の上端部同士を接続して前記木製本体を補強し、前記バックパネルを上側から押さえて固定する木製笠木と、
前記木製柱部間に着脱可能に架け渡される木製棚板と
を備え、前記木製棚板に商品が載置可能な木製陳列棚であって、
前記ベース部は、一対の木製脚部と、前記木製脚部の上端面に着脱可能に載置される木製ベース棚板とを含んで構成され、
前記木製補強板の下端面の高さ位置が前記木製脚部の上端面の高さ位置よりも上になるように設定されている
ことを特徴とする木製陳列棚。
【請求項２】
一対の前記木製脚部の上端面に前記木製ベース棚板を載置したときの前記木製ベース棚板の上面の高さ位置が、前記木製補強板の下端面の高さ位置よりも上になるように設定されていることを特徴とする請求項１に記載の木製陳列棚。
【請求項３】
前記バックパネルは、半透明かつ白色のプラスチックパネルであることを特徴とする請求項１または２に記載の木製陳列棚。
【請求項４】
請求項１乃至３のいずれか１項に記載の木製陳列棚を複数個組み合わせて運搬するときの構造であって、
前記木製ベース棚板及び前記木製棚板を取り外した第２の木製陳列棚の有する前記木製脚部のうちの少なくとも一方を、前記木製ベース棚板が存在していない第１の木製陳列棚の背面側から前記木製補強板の下方に差し込むようにして配置し、この状態で前記第１の木製陳列棚及び前記第２の木製陳列棚同士を結束固定した
ことを特徴とする木製陳列棚の運搬時構造。
【考案の詳細な説明】
【技術分野】
【０００１】
本考案は、店内において商品を陳列する際に用いる木製の陳列棚、及びそれを運搬する時の構造に関するものである。
【背景技術】
【０００２】
近年、店内において野菜や果物などの商品を見栄え良く陳列するための手段として、木製の陳列棚を用いることが増えつつある（例えば、特許文献１，２参照）。この種の陳列棚は、基本的に一対の木製柱パーツ、両木製柱パーツ同士を連結する木製補強板、陳列棚の後側を塞ぐ木製バックパネル、両木製柱パーツの上端部同士を接続する木製笠木、両木製柱パーツ間に架け渡される木製棚板等のパーツによって構成されている。
【０００３】
ここで、従来における木製陳列棚の出荷方式としては、パーツ組立後の完成品の状態で納入先に出荷するといった方式（完成品出荷方式）と、パーツ組立前の状態で出荷して納入先で組み立てを行って完成品とするといった方式（納入先組立方式）とがある。
【先行技術文献】
【特許文献】
【０００４】
【特許文献１】特開２００３−２７５０７０号公報（図１等）
【特許文献２】特開２００３−２７５０７３号公報（図１等）
【考案の概要】
【考案が解決しようとする課題】
【０００５】
完成品出荷方式の場合、納入先でパーツを組み立てる煩雑さがなく、直ちに使用を開始することができるというメリットがある。その反面、出荷先に複数個まとめて運搬する際に全体的に大きなスペースを要してしまい、大型の搬送車両が必要になるなどして、運搬コストが高くつくというデメリットがある。
【０００６】
納入先組立方式の場合、出荷先に木製陳列棚複数個分のパーツを運搬するときでも、完成品出荷方式のときほど大きなスペースを要しないというメリットがある。その反面、組立前のパーツ状態の木製陳列棚を納入先で組み立てて完成品とすることは煩雑であり、短時間で簡単に使用可能な状態にすることができないというデメリットがある。
【０００７】
また、複数個の木製陳列棚を納入した客先において、例えば店内のレイアウト変更などを行うにあたり、複数個の木製陳列棚を売場から一時的に別の場所に移動し、まとめて片付けておきたい場合がある。この場合、分解しないそのままの状態で複数個の木製陳列棚を片付けようとしても、収納のために大きなスペースが必要となってしまう。ここで、複数個の木製陳列棚をパーツの状態まで完全に分解して片付ければ、収納スペースは小さくて済む。しかしながら、分解するためには多くのボルト及びナットを取り外す等の煩雑な作業が必要となるばかりでなく、再び使用したいときに組立作業を行わなければならず、現実的であるとは言い難い。
【０００８】
本考案は上記の課題に鑑みてなされたものであり、その目的は、運搬時や収納時に複数個組み合わせても全体的に大きなスペースを要しない形態にすることができるとともに、短時間で容易に使用可能状態にすることができる木製陳列棚、及びその運搬時構造を提供することにある。
【課題を解決するための手段】
【０００９】
上記課題を解決するために、請求項１に記載の考案は、一対の木製柱部の下端部にベース部を接続してなる木製本体と、前記木製柱部同士を連結して前記木製本体を補強する木製補強板と、前記木製柱部間に設けられ、前記木製補強板によって下側から支持されるバックパネルと、前記木製柱部の上端部同士を接続して前記木製本体を補強し、前記バックパネルを上側から押さえて固定する木製笠木と、前記木製柱部間に着脱可能に架け渡される木製棚板とを備え、前記木製棚板に商品が載置可能な木製陳列棚であって、前記ベース部は、一対の木製脚部と、前記木製脚部の上端面に着脱可能に載置される木製ベース棚板とを含んで構成され、前記木製補強板の下端面の高さ位置が前記木製脚部の上端面の高さ位置よりも上になるように設定されていることを特徴とする木製陳列棚をその要旨とする。
【００１０】
請求項１に記載の考案によると、木製棚板及び木製ベース棚板については着脱可能な構造となっており、木製棚板及び木製ベース棚板以外のパーツについては互いに接続されることで木製陳列棚の主要構成部（半完成品）を既に構成している。それゆえ、納入先において木製棚板及び木製ベース棚板を主要構成部に装着することにより、短時間で容易に使用可能な状態にすることができる。しかもこの構成であると、木製ベース棚板を取り外して木製脚部の上端面を露出させることで、木製ベース棚板が他のパーツに対して干渉しにくくなる。よって、複数個あるうちの１つの木製陳列棚の木製脚部を、別の木製陳列棚の木製補強板の下側に差し込んで配置することが可能となり、主要構成部同士を近づけて配置することが可能となる。従って、運搬時や収納時に全体的に大きなスペースを要しないコンパクトな形態にすることができる。
【００１１】
請求項２に記載の考案は、請求項１において、一対の前記木製脚部の上端面に前記木製ベース棚板を載置したときの前記木製ベース棚板の上面の高さ位置が、前記木製補強板の下端面の高さ位置よりも上になるように設定されていることをその要旨とする。
【００１２】
請求項２に記載の考案によると、正面視において木製ベース棚板と木製補強板との間に隙間が生じなくなるため、その隙間を介して陳列棚背面側の領域が見えることがなく、意匠性が向上する。
【００１３】
請求項３に記載の考案は、請求項１または２において、前記バックパネルは、半透明かつ白色のプラスチックパネルであることをその要旨とする。
【００１４】
請求項３に記載の考案によると、白色であることに加えて陳列棚背面側からバックパネルを介して光が入ってくるので、陳列棚正面側が明るくなり、木製棚板や木製ベース棚板の上に置かれた商品の見栄えが向上しうる。
【００１５】
請求項４に記載の考案は、請求項１乃至３のいずれか１項に記載の木製陳列棚を複数個組み合わせて運搬するときの構造であって、前記木製ベース棚板及び前記木製棚板を取り外した第２の木製陳列棚の有する前記木製脚部のうちの少なくとも一方を、前記木製ベース棚板が存在していない第１の木製陳列棚の背面側から前記木製補強板の下方に差し込むようにして配置し、この状態で前記第１の木製陳列棚及び前記第２の木製陳列棚同士を結束固定したことを特徴とする木製陳列棚の運搬時構造をその要旨とする。
【００１６】
請求項４に記載の考案によると、第２の木製陳列棚における木製ベース棚板及び木製棚板、第１の木製陳列棚の背面側の木製ベース棚板が存在せず、これらパーツ同士の干渉が回避される。この状態で、第２の木製陳列棚の有する木製脚部の少なくとも一方を、第１の木製陳列棚の木製補強板の下側に差し込んで配置することにより、木製陳列棚の主要構成部同士を近づけて配置することが可能となる。従って、全体的に大きなスペースを要しないコンパクトな形態に荷造りして運搬することができる。また、木製陳列棚の主要構成部同士を近づけた状態で複数個の木製陳列棚同士を結束固定しているため、運搬時の振動によって木製陳列棚同士が動いて当接し合うことがなく、破損や傷付きを避けることができる。
【考案の効果】
【００１７】
以上詳述したように、請求項１〜４に記載の考案によると、運搬時や収納時に複数個組み合わせても全体的に大きなスペースを要しない形態にすることができるとともに、短時間で容易に使用可能状態にすることができる木製陳列棚、及びその運搬時構造を提供することができる。
【図面の簡単な説明】
【００１８】
【図１】本考案を具体化した一実施形態の木製陳列棚を示す概略分解斜視図。
【図２】（ａ）は同木製陳列棚の正面図、（ｂ）はその側面図。
【図３】同木製陳列棚を２つ組み合わせて配置した使用状態を示す写真。
【図４】（ａ）は運搬前の２個の木製陳列棚から木製棚板及び木製ベース棚板を取り外すときの様子を示す側面図であり、（ｂ）は一方の木製陳列棚を他方の木製陳列棚の背面側から近づけるときの様子を示す側面図。
【図５】（ａ）は一方の木製陳列棚の有する１本の木製脚部を、他方の木製陳列棚の木製補強板の下側に差し込んで配置した運搬可能状態のときの様子を示す側面図、（ｂ）は（ａ）の正面図。
【図６】４個の木製陳列棚をコンパクトにまとめて収納した状態を示す写真。
【図７】別の実施形態の木製陳列棚における木製笠木に木製板片を連結した状態を示す写真。
【考案を実施するための形態】
【００１９】
以下、本考案を具体化した木製陳列棚の一実施の形態を図１〜図６に基づき詳細に説明する。
【００２０】
図１〜図３に示されるように、本実施形態の木製陳列棚１０は、店内において商品を見栄え良く陳列するために用いられるものである。この木製陳列棚１０は、木製本体１１、木製補強板１２、バックパネル１３、木製笠木１４及び木製棚板１５を備えている。本実施形態では、木製本体１１、木製補強板１２、木製笠木１４、木製棚板１５は、塗装仕上げされたパイン材を用いて加工されている。なお、これらのパーツの材料として、パイン材以外の木材を用いても勿論構わない。
【００２１】
木製本体１１は、左右一対の略四角柱状の木製柱部２１と、それらの下端部における前面側に接続されたベース部２２とを有した構造となっており、側面視で逆Ｌ字状をなしている。
【００２２】
本実施形態のベース部２２は、一対の木製脚部３１と、これら木製脚部３１の上端面に着脱可能に載置される木製ベース棚板３２とを含んで構成されている。木製脚部３１は、前後方向に沿って延びるように配置された矩形板状の部材であって、木製柱部２１の下端部における前面側に接続されている。木製脚部３１において内側を向く面には、断面矩形状の棒材からなる補強材２３が貼付されている。この補強材２３は木製柱部２１の基端部にまで至って貼付されることで、木製柱部２１に対する木製脚部３１の固定強度を高めている。さらに、一対の木製脚部３１の下端面には、それぞれ２個のキャスター３３が取り付けられている。
【００２３】
木製ベース棚板３２の前端面側には、略矩形板状の木製前板４１が取り付けられており、下面側における左右両側には一対の位置決め部材４２が取り付けられている。両方の位置決め部材４２には位置決め孔４３が設けられる一方、一対の木製脚部３１において対応する箇所にも位置決め孔４４が設けられている。そして、これらの位置決め孔４３、４４に位置決め用の木製固定ピンが嵌着されることにより、一対の木製脚部３１に対して木製ベース棚板３２が確実に固定されるようになっている。
【００２４】
一対の木製柱部２１の前面側には、上下方向に沿って延びる長尺状のブラケット取付金具２４が取り付けられている。ブラケット取付金具２４には多数のスリット２８が形成されている。これらのスリット２８は、ブラケット取付金具２４の長手方向に沿って配設されている。そしてこれらのスリット２８には、金属製のブラケット２９の後端に設けられた係合爪が係脱可能となっている。そして、両ブラケット取付金具２４において同じ高さに位置する一対のスリット２８に対して、それぞれブラケット２９の係合爪を係合させることにより、両ブラケット取付金具２４にそれぞれブラケット２９が取り付けられる。さらに、一対のブラケット２９の上面に木製棚板１５を載置することにより、木製棚板１５が、両ブラケット２９間にて水平に架け渡された状態で支持される。なお、図１では上下２箇所に木製棚板１５を設置した例を示しているが、木製棚板１５の設置数は適宜変更してもよい。
【００２５】
一対の木製柱部２１において互いに内側を向いて対向する面には、上下方向に沿って延びるパネル挿入溝がそれぞれ形成されている。一対の木製柱部２１の間には、略矩形板状をなす木製補強板１２が配置されている。木製補強板１２の両端面は、一対の木製柱部２１において互いに内側を向いて対向する面に、それぞれボルトによって固定されている。その結果、一対の木製柱部２１同士が下部領域にて木製補強板１２によって連結され、木製本体１１全体が補強されている。この木製補強板１２の上面には、バックパネル１３の下縁部が挿入可能なパネル挿入溝が設けられている。
【００２６】
バックパネル１３は、矩形板状をなす部材であって、一対の木製柱部２１間に設けられている。具体的に言うと、バックパネル１３は、左右の縁部をそれぞれパネル挿入溝に挿入した状態で、一対の木製柱部２１に取り付けられている。さらに、バックパネル１３の下縁部は木製補強板１２の挿入溝に挿入されており、それによってバックパネル１３が木製補強板１２により下側から支持されている。バックパネル１３は木製パネルであってもよいが、例えば半透明かつ白色のプラスチックパネルのように、木以外の材料からなるパネルを用いてもよい。このようなプラスチックパネルは、もともと明るい白色であることに加えて、陳列棚背面側からバックパネル１３を介して入ってくる光により採光されるという性質がある。ゆえに、陳列棚正面側が明るくなり、木製棚板１５や木製ベース棚板３２の上に置かれた商品の見栄えが向上するという利点がある。なお、上記のプラスチックパネルの好適例としては、例えば半透明かつ白色のプラスチックダンボールパネルを挙げることができる。
【００２７】
木製笠木１４は、一対の木製柱部２１の上端部同士を接続している。木製笠木１４の両端面は、一対の木製柱部２１において互いに内側を向いて対向する面に、それぞれボルトによって固定されている。その結果、一対の木製柱部２１同士が上部領域にて木製笠木１４によって連結され、木製本体１１全体が補強されている。この木製笠木１４の下面には、バックパネル１３の上縁部が挿入可能なパネル挿入溝が設けられている。木製笠木１４を両柱部２１に取り付けたとき、パネル挿入溝にはバックパネル１３の上縁部が挿入される。このとき、木製笠木１４がバックパネル１３を上側から押さえることで、バックパネル１３が固定される。
【００２８】
図２（ａ）等に示されるように、本実施形態では、設置面から木製補強板１２の下端面１２ａまでの距離Ｈ１が１８０ｍｍ、設置面から木製脚部３１の上端面３１ａまでの距離Ｈ２が１７０ｍｍとなるように設定されている。従って、木製補強板１２の下端面１２ａの高さ位置は、木製脚部３１の上端面３１ａの高さ位置の１０ｍｍ上になる。また、一対の木製脚部３１の上端面３１ａに木製ベース棚板３２を載置したときにおいて、設置面から木製ベース棚板３２の上面までの高さＨ３が約１９０ｍｍとなるように設定されている。従って、木製ベース棚板３２の上面の高さ位置は、木製補強板１２の下端面１２ａの高さ位置よりも約１０ｍｍ上になる。なお、木製ベース棚板３２の上面と木製補強板１２の下端面１２ａとの高さ位置関係を上記のように設定したことにより、正面視において木製ベース棚板３２と木製補強板１２との間に隙間が生じなくなる。このため、その隙間を介して陳列棚背面側の領域が見えることがなくなり、木製陳列棚１０の意匠性が向上する。
【００２９】
次に、図４〜図６に基づいて、木製陳列棚１０を２個組み合わせて、まとめて運搬するときの手順について説明する。説明の便宜上、２個あるうちの一方の木製陳列棚１０を「第１の木製陳列棚Ｄ１」と呼び、他方の木製陳列棚１０を「第２の木製陳列棚Ｄ２」と呼ぶことがあるものとする。ちなみに、第１の木製陳列棚Ｄ１は、木製脚部３１Ａが差し込まれるために前方側（図４（ａ）では右側）に配置される被差込側の木製陳列棚Ｄ１となっている。これに対し、第２の木製陳列棚Ｄ２は、木製脚部３１Ａを差し込むために後方側（図４（ａ）では左側）に配置される差込側の木製陳列棚Ｄ２となっている。
【００３０】
通常、これらの木製陳列棚Ｄ１、Ｄ２は、木製棚板１５及び木製ベース棚板３２等が取り付けられた状態で使用されている。これらの木製陳列棚Ｄ１、Ｄ２を運搬する際には、まず木製棚板１５及びブラケット２９を取り外す。その結果、ベース部２２の上部空間における突出物がなくなった状態となる。また、木製ベース棚板３２を取り外して、木製脚部３１、３１Ａの上端面３１ａを露出させる（図４（ａ）参照）。その結果、ベース部２２全体の高さが、木製ベース棚板３２の厚さ分だけ低くなる。言い換えると、ベース部２２を構成する一対の木製脚部３１、３１Ａの上端面３１ａの高さ位置が、木製補強板１２の下端面１２ａの高さ位置よりも１０ｍｍ低くなる。
【００３１】
図４（ｂ）は、太字矢印の方向に沿って、差込側である第２の木製陳列棚Ｄ２を、被差込側である第１の木製陳列棚Ｄ１の背面側から近づけるときの様子を示している。第１の木製陳列棚Ｄ１の背面側には、もともと木製棚板１５も木製ベース棚板３２も存在していない。第２の木製陳列棚Ｄ２の前面側においては、木製棚板１５及び木製ベース棚板３２が取り外されているため、木製棚板１５及び木製ベース棚板３２は存在していない。従って、第２の木製陳列棚Ｄ２を第１の木製陳列棚Ｄ１の背面側から近づけても、これらパーツ同士の干渉が回避される。また、ベース部２２においては、木製ベース棚板３２が取り外されている。そのため、第２の木製陳列棚Ｄ２の有する片方側の木製脚部３１と、第１の木製陳列棚Ｄ１の有する木製補強板１２とを近づけても、これらパーツ同士の干渉が回避される。そしてこの場合には、第２の木製陳列棚Ｄ２の有する片方側の木製脚部３１は、第１の木製陳列棚Ｄ１の有する木製補強板１２の下方を困難なく通過することができる。
【００３２】
図５（ａ）及び図５（ｂ）は、第２の木製陳列棚Ｄ２の有する片方側の木製脚部３１Ａを、第１の木製陳列棚Ｄ１の有する木製補強板１２の下側に差し込んで配置したときの様子を示している。つまり、第１の木製陳列棚Ｄ１及び第２の木製陳列棚Ｄ２同士を入れ子構造（ネスティング構造）にして配置したときの様子を示している。このとき、木製棚板１５及び木製ベース棚板３２以外のパーツからなる木製陳列棚Ｄ１、Ｄ２の主要構成部同士を互いに近づけて配置することができる。そしてこの状態で、第１の木製陳列棚Ｄ１及び第２の木製陳列棚Ｄ２同士が図示しない結束具により結束固定される結果、これらをまとめて搬送車両に載せて運搬可能な状態となる。
【００３３】
以上、２個の木製陳列棚Ｄ１、Ｄ２についての搬送時構造を説明したが、客先において例えば店内のレイアウト変更などを行うにあたり、２個の木製陳列棚Ｄ１、Ｄ２を別の場所で片付けたい場合がある。このような収納時構造も、基本的には上述した搬送時構造と同じであるため詳細な説明は省略する。なお図６は、４個の木製陳列棚Ｄ１，Ｄ２をコンパクトにまとめて収納した状態を示している。第１の木製陳列棚Ｄ２が１個、第２の木製陳列棚Ｄ２が３個あるとした場合、３本の木製脚部３１Ａが、それぞれ第１の木製陳列棚Ｄ１の有する木製補強板１２の下側に差し込まれるようにして配置されている。
【００３４】
従って、本実施形態の木製陳列棚１０によれば以下の効果を得ることができる。
【００３５】
（１）本実施形態の構成によると、木製棚板１５及び木製ベース棚板３２については、着脱可能な構造となっている。一方、木製棚板１５及び木製ベース棚板３２以外のパーツについては、互いに接続されることで木製陳列棚１０の主要構成部（半完成品）を既に構成している。それゆえ、納入先において木製棚板１５及び木製ベース棚板３２を主要構成部に装着することにより木製陳列棚１０を完成させることができ、短時間で容易に使用可能な状態にすることができる。ゆえに、従来の納入先組立方式とは異なり、納入先でばらばらのパーツを一から組み立てるといった煩雑さがない。
【００３６】
（２）しかも本実施形態の構成によると、木製ベース棚板３２を取り外して木製脚部３１、３１Ａの上端面を露出させることができるため、木製ベース棚板３２が他のパーツに対して干渉しにくくなる。よって、例えば２個あるうちの１つの木製陳列棚Ｄ２の木製脚部３１Ａを、別の木製陳列棚Ｄ１の木製補強板１２の下側に差し込むことで、「入れ子構造」にして配置することができる。その結果、主要構成部同士を近づけて配置することが可能となる。ゆえに、従来の完成品出荷方式とは異なり、運搬時に全体的に大きなスペースを要しないコンパクトな形態にまとめて荷造りすることができる。従って、運搬時にそれほど大型の搬送車両が必要にならず、運搬コストの高騰を回避することができる。また、収納時においても、主要構成部を分解せずに全体的にコンパクトにまとめることで、複数個の木製陳列棚Ｄ１、Ｄ２を比較的小さな収納スペースに容易に片付けることができる。
【００３７】
（３）また、本実施形態の構成によると、木製陳列棚Ｄ１、Ｄ２の主要構成部同士を近づけた状態でそれら同士を結束固定して運搬するようにしている。このため、運搬時の振動によって木製陳列棚Ｄ１、Ｄ２同士が動いて当接し合うことがなく、破損や傷付きを避けることができる。
【００３８】
なお、本考案の実施の形態は以下のように変更してもよい。
【００３９】
・上記実施の形態では、２個または４個の木製陳列棚Ｄ１、Ｄ２を組み合わせて運搬や収納を行うようにしたが、例えば３個または５個以上の数の木製陳列棚Ｄ１、Ｄ２を組み合わせても勿論よい。
【００４０】
・上記実施の形態では、側面視で逆Ｌ字型の木製本体１１を含む木製陳列棚Ｄ１、Ｄ２を組み合わせて運搬や収納を行うようにしたが、例えば側面視で逆Ｔ字型の木製本体１１を含む木製陳列棚Ｄ１、Ｄ２を組み合わせて運搬や収納を行うようにしてもよい。また、側面視で逆Ｌ字型の木製本体１１を含む木製陳列棚Ｄ１、Ｄ２と、側面視で逆Ｔ字型の木製本体１１を含む木製陳列棚Ｄ１、Ｄ２とを組み合わせて運搬や収納を行うようにしても勿論構わない。
【００４１】
・上記実施の形態では、複数個の木製陳列棚Ｄ１、Ｄ２の横幅がいずれも等しかったが、異なっていてもよい。この場合、横幅の狭いものを第２の木製陳列棚Ｄ２とし、横幅の広いものを第１の木製陳列棚Ｄ１として、例えば第２の木製陳列棚Ｄ２の木製脚部３１Ａを、第１の木製陳列棚Ｄ１の木製補強板１２の下側に２本とも差し込んで配置してもよい。
【００４２】
・木製笠木１４の形状は上記実施の形態のものに限定されず、変更することが可能である。例えば、図７に示される別の実施形態のように、木製笠木１４の上面中央に長手方向に沿って延びる溝部１４ａを設け、その溝部１４ａに対して木製板片５１、５２を抜差可能な状態で連結してもよい。なお、木製板片５１は横長矩形状を有したものとなっている。木製板片５２は横長形状であって、木製板片５１ほど高さはなく、上縁が円弧状に形成されている。そして、これらのような木製板片５１、５２を連結することにより、木製陳列棚の見栄えが向上する。また、木製笠木１４の上部に商品説明や値段などを記したプレートを設けるような場合、そのプレートを木製板片５１、５２に支持させることでプレートが安定する。
【符号の説明】
【００４３】
１０…木製陳列棚
１１…木製本体
１２…木製補強板
１２ａ…（木製補強板の）下端面
１３…バックパネル
１４…木製笠木
１５…木製棚板
２１…木製柱部
２２…ベース部
３１、３１Ａ…木製脚部
３１ａ…（木製脚部の）上端面
３２…木製ベース棚板
Ｄ１…第１の木製陳列棚
Ｄ２…第２の木製陳列棚
【図１】
0003233329.tif 000003
【図２】
0003233329.tif 000004
【図３】
0003233329.tif 000005
【図４】
0003233329.tif 000006
【図５】
0003233329.tif 000007
【図６】
0003233329.tif 000008
【図７】
0003233329.tif 000009